(57)【要約】【課題】トレイの傾きを防止しながらトレイを滑らかに出し入れできるようにする。【解決手段】トレイ２０を出し入れするためのトレイ用開口３ａの内側にトレイ２０をスライド可能に収容するホルダー部９を設け、トレイ２０の引き出し方向奥側に係合部２５を突設する。ホルダー部９に引き出し方向に沿ってガイド用スリット９ｂを形成し、係合部２５を係合させる。ホルダー部９にトレイ２０の収納状態及び引き出し状態のいずれにおいてもトレイ２０の正面及び背面の少なくとも一方を受ける受け面９ｅ，９ｄを設ける。【選択図】図１
2016082461.tif 000002
【特許請求の範囲】
【請求項１】
出し入れ可能なトレイを有するトレイ構造において、
上記トレイを出し入れするためのトレイ用開口を有する筐体と、
上記トレイ用開口の内側に設けられ、上記トレイをスライド可能に収容するホルダー部と、
上記トレイの引き出し方向奥側に突設された係合部と、
上記筐体又は上記ホルダー部に上記引き出し方向に沿って形成され、上記係合部が係合するガイド部と、
上記筐体又は上記ホルダー部に形成され、上記トレイの収納状態及び引き出し状態のいずれにおいても上記トレイの正面及び背面の少なくとも一方を受ける受け面とを備える
ことを特徴とするトレイ構造。
【請求項２】
請求項１に記載のトレイ構造において、
上記ガイド部は、上記ホルダー部の上記トレイの引き出し方向手前側に形成されたレール部であり、該レール部に上記係合部が係合するように構成され、
上記ホルダー部の上記トレイの引き出し方向奥側には、上記受け面の少なくとも一部が配置されている
ことを特徴とするトレイ構造。
【請求項３】
請求項２に記載のトレイ構造において、
上記ガイド部は、上記ホルダー部に形成された直線状のスリット又は溝に形成され、
上記スリット又は溝は、上記受け面の少なくとも一部を構成する壁部に形成されている
ことを特徴とするトレイ構造。
【請求項４】
請求項１から３のいずれか１つに記載のトレイ構造において、
上記トレイにおける上記係合部の近傍には、ロック部が形成され、該ロック部が上記トレイの収納時において上記ホルダー部に形成した被ロック部に嵌合するように構成されている
ことを特徴とするトレイ構造。
【請求項５】
請求項１から４のいずれか１つに記載のトレイ構造が上記筐体に設けられている
ことを特徴とする携帯端末。
【発明の詳細な説明】
【技術分野】
【０００１】
本発明は、筐体に対して出し入れ可能なトレイ構造及びそれを備えた携帯端末に関する。
【背景技術】
【０００２】
近年のスマートフォンなどでは、充電池の出し入れができなくなって電池蓋が無くなったものが増えてきている。従来は、この電池蓋に隠れる場所に標記されていたＩＭＥＩ（International Mobile EquipmentIdentifier：国際移動体装置識別番号）、製造番号等の重要情報を外観を損ねることなく標記する必要が生じている。そこで、筐体内のいずれかに設けたプレートに上記重要情報を記載されることが知られている。
【０００３】
また、ＳＩＭカードやＳＤカード（登録商標）等を収納するためにカードトレイを備えているものもあるが、特許文献１のように、カードトレイの引き出し方向手前側に一対の脚部を設け、この脚部をシャシーに当ててカードトレイが傾かないようにする携帯端末装置が知られている。
【先行技術文献】
【特許文献】
【０００４】
【特許文献１】特開２０１３−１９２１５８号公報
【発明の概要】
【発明が解決しようとする課題】
【０００５】
しかし、スマートフォンなどの携帯端末では、携帯性を向上させるためにコンパクトな構造となっており、上記特許文献１のシャシーのようにトレイの受け面となる部分がトレイの引き出し方向手前側にない場合が多い。このため、特許文献１のような方法でトレイの傾きを防止することができない。しかも、この方法では、トレイを引き出したときに手前側に脚部があって見映えが悪い。
【０００６】
本発明は、かかる点に鑑みてなされたものであり、その目的とするところは、トレイの傾きを防止しながらトレイを滑らかに出し入れできるようにすることにある。
【課題を解決するための手段】
【０００７】
上記の目的を達成するために、この発明では、トレイの引き出し方向奥側に突起を設け、筐体又は筐体内部のホルダーのガイド部に係合させるようにした。
【０００８】
具体的には、本発明では、出し入れ可能なトレイを有するトレイ構造及び該トレイ構造を備えた携帯端末に関し、
上記トレイ構造は、
上記トレイを出し入れするためのトレイ用開口を有する筐体と、
上記トレイ用開口の内側に設けられ、上記トレイをスライド可能に収容するホルダー部と、
上記トレイの引き出し方向奥側に突設された係合部と、
上記筐体又は上記ホルダー部に上記引き出し方向に沿って形成され、上記係合部が係合するガイド部と、
上記筐体又は上記ホルダー部に形成され、上記トレイの収納状態及び引き出し状態のいずれにおいても上記トレイの正面及び背面の少なくとも一方を受ける受け面とを備える。
【０００９】
ここで、「引き出し状態」とは、トレイを完全に引き出した状態とトレイを引き出す途中の状態との両方を含む。受け面は、筐体とホルダー部のいずれに形成されていてもよく、複数の受け面で構成されていてもよい。上記の構成によると、トレイを引き出す際に直線状に設けたガイド部に沿って係合部が移動するので、トレイが安定して滑らかに引き出される。さらに受け面がトレイを支えるので、荷重を面で受けることができ、トレイを引き出すのに余計な力を必要としない。また、完全に引き出した状態及び引き出す途中のトレイが傾かず、変形しにくいので安定して出し入れすることができる。
【発明の効果】
【００１０】
以上説明したように、本発明によれば、トレイの係合部を直線状のガイド部に係合させると共に、トレイの正面及び背面の少なくとも一方を受け面で受けるようにしたので、トレイの傾きを防止しながらトレイを滑らかに出し入れできるようにすることができる。
【図面の簡単な説明】
【００１１】
【図１】図２のＩ−Ｉ線拡大断面図である。
【図２】本発明の実施形態１に係るスマートフォンを示す斜視図であり、コネクタカバーを取り外した状態の上端の一部を拡大して示す。
【図３】本発明の実施形態１に係るスマートフォンを示す分解斜視図である。
【図４】トレイを最後まで引き出したときを示す図１相当図及びストッパを含む別の断面で切断したストッパ及びその周辺を示す拡大断面図である。
【図５】（ａ）がトレイを背面側から見た拡大斜視図であり、（ｂ）がトレイを正面側から見た拡大斜視図である。
【図６】トレイを収納した状態のホルダー部を拡大して示し、（ａ）が背面から見た斜視図で、（ｂ）が正面から見た斜視図及びその一部拡大斜視図である。
【図７】トレイを完全に引き出した状態のホルダー部を拡大して示し、（ａ）が背面から見た斜視図で、（ｂ）が正面から見た斜視図である。
【図８】本発明の実施形態２に係るトレイを収納した状態のホルダー部を示す斜視図である。
【発明を実施するための形態】
【００１２】
以下、本発明の実施形態１を図面に基づいて説明する。
【００１３】
図２及び図３は本発明の実施形態１に係るトレイ構造を有する携帯端末としてのスマートフォン１（携帯電話機）を示し、このスマートフォン１は、ユーザーから見て正面となる正面側に例えばタッチパネルを含む液晶表示部２を収容する正面側キャビネット３と、この正面側キャビネット３の背面側を覆う背面側キャビネット４とを備え、その背面がリアカバー５で覆われている。これら正面側キャビネット３と背面側キャビネット４との間の収容空間に充電池６とメイン基板７とが収容されている。例えば、正面側キャビネット３、背面側キャビネット４及びリアカバー５がスマートフォン１の筐体を構成している。図１に示すように、トレイ用開口３ａは、正面側キャビネット３のみで構成しているが、正面側キャビネット３、背面側キャビネット４及びリアカバー５のいずれで構成してもよい。なお、背面側キャビネット４がリアカバー５と一体である場合のように、リアカバー５はなくてもよい。
【００１４】
図１〜図３に示すように、例えば、メイン基板７には、ＳＩＭカードトレイ１１及びＳＤカード１２を装着できるようになっている。メイン基板７の正面側には、ＳＤカード１２を出し入れ可能なＳＤソケット１２ａが取り付けられている。ＳＩＭカードトレイ１１は、メイン基板７のＳＤソケット１２ａの反対側の面に設けたＳＩＭソケット１１ａに対して出し入れ可能となっている。なお、メイン基板７ではなく、このメイン基板７とは別のサブ基板に、これらＳＩＭソケット１１ａ、ＳＤソケット１２ａ等を設けてもよい。なお、図１に示すように、ＳＩＭソケット１１ａと後述するトレイ２０との間には、トレイ２０がＳＩＭソケット１１ａと擦れて抵抗となったり、両者が傷付くのを防止するスライドシート１３が、ホルダー部９に貼り付けられているが、これはなくてもよい。
【００１５】
図３に示すように、例えば、メイン基板７の上側には、メインカメラ８が設けられ、その背面側が樹脂成形品等よりなるホルダー部９で覆われている。ホルダー部９は、トレイ用開口３ａの内側に設けられ、トレイ２０をスライド可能に収容する役割も果たしている。
【００１６】
図２に例えば左右に長いコネクタカバー１０を外した状態を拡大して示すように、正面側キャビネット３の上端に開口した例えば長円形状のトレイ用開口３ａからＳＩＭカードトレイ１１、ＳＤカード１２及びトレイ２０のいずれも出し入れ可能となっている。背面側キャビネット４及びリアカバー５の上側には、それぞれ切欠４ａ，５ａが形成され、この切欠４ａ，５ａからトレイ用開口３ａが露出するようになっている。トレイ用開口３ａは、コネクタカバー１０によって塞がれて防水及び防塵されている。なお、このトレイ用開口３ａの位置は、スマートフォン１の上端ではなく、下端、左右側面のいずれに設けられていてもよい。
【００１７】
そして、ＳＩＭカードトレイ１１側のホルダー部９に例えば樹脂成形品よりなる略矩形板状のトレイ２０が挿入されている。図５（ａ）にも示すように、トレイ２０には、ＩＭＥＩ、製造番号等の重要情報が記載されたラベル２１が貼り付けられている。なお、ラベル２１を貼り付けるのではなく、印刷、刻印等によってトレイ２０の表面に直接に重要情報を記載するようにしてもよい。トレイ２０の引き出し方向手前側（上側）には、例えば爪を掛けて引き出すために形成された長円形状の爪掛け用孔部２２が形成されている。
【００１８】
トレイ２０は、ホルダー部９内をスマートフォン１の上下にスライドさせて出し入れ可能に構成されている。図５及び図７（ｂ）に示すように、トレイ２０の引き出し方向奥側（下側）には、抜け止めのためのストッパ２３が左右にそれぞれ突出するように形成されている。図４に別の断面で切断して示すように、ストッパ２３の上端は、上側に向かってトレイ用開口３ａの外側（図４の下側）に向かうように傾斜する第１傾斜面２３ａが形成されており、それに対応させてホルダー部９にも第２傾斜面９ｈが形成されている。これら第１傾斜面２３ａと第２傾斜面９ｈとは、トレイ２０が抜き出さない方向に傾斜している。
【００１９】
また、トレイ２０の下端側には、スマートフォン１の厚さ方向へ（背面側へ）膨出部２４が膨出している。この膨出部２４は、トレイ用開口３ａ側からトレイ２０が簡単に抜け出すのを阻止する厚さまで膨出している。
【００２０】
図５及び図６（ｂ）に示すように、上記係合部２５のすぐ横には、下端側に開放するＵ字状の切欠２６が形成されている。この切欠２６には、略矩形状のロック部としてのロック用凹部２６ａが形成されている。
【００２１】
一方、図６（ａ）に示すように、ホルダー部９の背面壁部９ａのトレイ用開口３ａ側（上側）には、引き出し方向（上下方向）に沿って直線状にガイド用スリット９ｂが形成されている。このガイド用スリット９ｂに係合部２５が嵌まり込むようになっている。ガイド用スリット９ｂの係合部２５に対応する側には、一部幅が狭くなり下端側が先細となったレール部９ｃが形成されている。図７（ａ）に示すように、このレール部９ｃに係合部２５の鉤状部分が係合することで、トレイ２０を引き出したときにさらにがたつかないようになっている。これらガイド用スリット９ｂとレール部９ｃとでガイド部が構成されている。
【００２２】
図４に示すように、ホルダー部９の背面壁部９ａの正面側には平坦な背面側受け面９ｄが形成されている。一方、ホルダー部９の引き出し方向奥側（下側）には、トレイ２０の収納時にトレイ２０下側の背面が当接する正面側受け面９ｅが形成されている。なお、この受け面９ｄをトレイ用開口３ａの近傍に設けた場合最もコンパクトな構成とすることができる。逆にガイド用スリット９ｂが形成された背面壁部９ａとは別の位置に受け面９ｄを設けてもよい。これらの受け面９ｄ，９ｅは、ホルダー部９に形成されているが、一部が筐体で構成されていてもよい。
【００２３】
図６（ｂ）に拡大して示すように、ホルダー部９の正面側受け面９ｅの下端には、突部９ｆが形成されており、この突部９ｆの一部が突出して被ロック部としてのロック用突起９ｇが形成されている。このロック用突起９ｇは、トレイ２０の収納時においてロック用凹部２６ａに嵌合するように構成されている。なお、ロック用凹部２６ａ側を突出させてロック用突起９ｇ側を凹陥させてもよい。
【００２４】
このように、本実施形態では、図４及び図７に示すように、トレイ２０を引き出す際に直線状に設けたガイド用スリット９ｂに沿って係合部２５が移動するので、トレイ２０が安定して滑らかに引き出される。しかも、レール部９ｃに係合部２５が係合しながらトレイ２０が出し入れされるので、トレイ２０を安定して滑らかに出し入れすることができる。また収納位置では、正面側受け面９ｅにより確実にトレイ２０が支持される。
【００２５】
さらに受け面９ｄ，９ｅがトレイ２０を支えるので、荷重を面で受けることができ、トレイ２０を引き出すのに余計な力を必要としない。トレイ２０の収納状態及び引き出し状態のいずれにおいてもトレイ２０の正面及び背面の少なくとも一方を受け面９ｄ，９ｅで受けるようにするのが望ましい。そうすれば、引き出した状態及び引き出す途中のトレイ２０が傾かず、変形しにくいので、トレイ２０を安定して出し入れすることができる。
【００２６】
係合部２５をトレイ２０の幅方向内側に１つのみ設け、この係合部に係合する１本のガイド用スリット９ｂ（レール部９ｃ）を設けたのみであるため、トレイ２０及びその周辺の構造をコンパクトなものとすることができる。
【００２７】
係合部２５がトレイ２０の幅方向内側に形成されるので、トレイ２０をコンパクトなものとすることができる。係合部２５は、スリット又は溝に嵌まり込むので、トレイ２０を安定して滑らかに出し入れすることができる。
【００２８】
ガイド用スリット９ｂ（レール部９ｃ）を受け面の少なくとも一部を構成する壁部に形成したので、構造をコンパクトにすることができる。
【００２９】
図６（ｂ）に示すように、トレイの収納位置では、ロック用突起９ｇがロック用凹部２６ａに嵌まり込み、かつトレイ２０が正面側受け面９ｅに当接するので、確実に安定してがたつかず、また、ロック時にクリック感を与えることができるので、収納位置まで押し込めたことが容易にわかる。
【００３０】
以上説明したように、本発明の実施形態１に係るスマートフォン１によれば、トレイ２０の係合部２５を直線状のガイド用スリット９ｂに係合させると共に、トレイ２０の正面及び背面の少なくとも一方を受け面９ｄ，９ｅで受けるようにしたので、トレイ２０の傾きを防止しながらトレイ２０を滑らかに出し入れできるようにすることができる。
【００３１】
（実施形態２）
図８は本発明の実施形態２のトレイ１２０及びホルダー部１０９を示し、主に係合部１２５の形状が異なる点で上記実施形態１と異なる。実施形態２では、図１〜図７と同じ部分については同じ符号を付してその詳細な説明は省略する。
【００３２】
本実施形態では、係合部１２５は、トレイ１２０の左右両側にあり、ストッパ２３の役割も果たしている。左右一対の係合部１２５は、背面壁部１０９ａに形成した一対のガイド用スリット１０９ｂにそれぞれ嵌まり込む。各ガイド用スリット１０９ｂにレール部１０９ｃが形成されている。本実施形態では、背面壁部１０９ａの奥側（下側）にもレール部１０９ｃが設けられており、トレイ１２０の収容時の安定性を増すようにしている。
【００３３】
本実施形態では、係合部１２５を２つ設けているので、より安定が増す。また、係合部１２５は、ストッパと兼用しているので、トレイ１２０の左右幅が増えることはない。なお、これら一対の係合部１２５を図８に示すものよりもさらに左右内側に配置することにより、トレイ１２０の左右幅をさらに狭くすることもできる。
【００３４】
（その他の実施形態）
本発明は、上記実施形態について、以下のような構成としてもよい。
【００３５】
すなわち、上記各実施形態では、トレイ２０，１２０の係合部２５，１２５の鉤状部分をレール部９ｃ，１０９ｃに係合させるようにしているが、ホルダー部９，１０９側にガイド部として底のある溝を形成し、トレイの係合部を嵌め込むようにしてもよい。この場合には、レール部は必要ではない。そうすれば、トレイの形状を単純化でき、サイズも小さくすることができる。
【００３６】
また、ガイド部をホルダー部９，１０９ではなく、正面側キャビネット３や背面側キャビネット４などの筐体の一部で構成してもよい。
【００３７】
また、上記実施形態では、ホルダー部９，１０９を正面側キャビネット３とは別に形成してメイン基板７を取り付け後、正面側キャビネット３に固定するようにしているが、正面側キャビネット３に一体に形成してもよい。
【００３８】
上記実施形態では、トレイ２０にＩＭＥＩ、製造番号等の重要情報を表示したが、それに限定されず製品の取扱注意事項など他の事項を表示するようにしてもよい。さらに、上記実施形態では本発明を、ＩＭＥＩ等の情報を表示するトレイに適用しているが、本発明はＳＤカード、ＳＩＭカードを挿入するトレイや、その他のトレイにも適用可能であることは明らかである。
【００３９】
上記実施形態では、携帯端末は、スマートフォン１としたが、タブレット端末、ＰＨＳ（Personal Handy-phone System ）、ＰＤＡ(Personal Digital Assistant)、ノートパソコン、モバイルツール、電子辞書、電卓、ゲーム機等であってもよい。さらに、本発明は携帯端末に限定されることはなく、トレイを引き出す構造を有するものであれば広く適用可能である。
【００４０】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４１】
１      スマートフォン（携帯端末）
２      液晶表示部
３      正面側キャビネット（筐体）
３ａ    トレイ用開口
４      背面側キャビネット（筐体）
４ａ，５ａ    切欠
５      リアカバー（筐体）
６      充電池
７      メイン基板
８      メインカメラ
９      ホルダー部
９ａ    背面壁部
９ｂ    ガイド用スリット（ガイド部）
９ｃ    レール部（ガイド部）
９ｄ    背面側受け面
９ｅ    正面側受け面
９ｆ    突部
９ｇ    ロック用突起（被ロック部）
９ｈ    第２傾斜面
１０      コネクタカバー
１１      ＳＩＭカードトレイ
１１ａ    ＳＩＭソケット
１２      ＳＤカード
１２ａ    ＳＤソケット
１３      スライドシート
２０      トレイ
２１      ラベル
２２      爪掛け用孔部
２３      ストッパ
２３ａ    第１傾斜面
２４      膨出部
２５      係合部
２５ａ    引き抜き用傾斜面
２６      切欠
２６ａ    ロック用凹部（ロック部）
１０９ａ    背面壁部
１０９ｂ    ガイド用スリット（ガイド部）
１０９ｃ    レール部（ガイド部）
１２０      トレイ
１２５      係合部
【図１】
2016082461.tif 000003
【図２】
2016082461.tif 000004
【図３】
2016082461.tif 000005
【図４】
2016082461.tif 000006
【図５】
2016082461.tif 000007
【図６】
2016082461.tif 000008
【図７】
2016082461.tif 000009
【図８】
2016082461.tif 000010